(57)【特許請求の範囲】
【請求項１】
情報処理装置とインターネット通信を用いてウェブサイトでインターネットオークションを運営するサービス提供者のウェブサイトにおいて、取引相手と取引対象品が異なれば、独立して個別に取引が行われる複数のインターネットオークションを一つの取引の中で組み合わせる取引であり、サービス提供者が売り手と買い手が商品を売買するインターネットオークションに出品された売り手の商品の鑑定書を複数の鑑定士に作成させ、情報処理装置とインターネット通信を用いてウェブサイトでインターネットオークションを運営するサービス提供者のウェブサイトにおいて、作成された複数の鑑定書をサービス提供者が複数の保証人に公開し、複数の保証人に鑑定書の中から評価が高いと思われるものを選び出して投票してもらい、投票結果により鑑定書の中の一定割合を任意にサービス提供者が選別して取引から除外し、選別後に残った鑑定書に保証を付けることが目的の複数の保証人が参加して保証人と保証料を確定させる保証料インターネットオークションがあり、保証料インターネットオークションで保証人と保証料が確定した鑑定書は保証が付く鑑定書になり、情報処理装置とインターネット通信を用いてインターネットオークションを運営するサービス提供者のウェブサイトにおいて、サービス提供者が売り手に売り手の商品の複数の鑑定書を公開して売り手に鑑定書を選ぶ権利を与える逆オークション方式の保証付鑑定書逆インターネットオークションがあり、サービス提供者が売り手の商品の鑑定書を複数用意して鑑定書を選ぶ選択肢を売り手に与え、かつ、サービス提供者が用意した複数の鑑定書の中から鑑定書を選ぶ権利を売り手に与えるといった、売り手が売り手の商品の鑑定を選ぶ選択肢と選ぶ権利をサービス提供者が売り手に与えることを、売り手と買い手が商品を売買するインターネットオークションに組み合わせて情報処理装置とインターネット通信を用いてウェブサイトでインターネットオークションを運営するサービス提供者のウェブサイトにおいて取引することを特徴とするトリプルインターネットオークション方法。
【発明の詳細な説明】
【技術分野】
【０００１】
本発明は、商品のインターネットオークション、保証料インターネットオークション、保証付鑑定書逆インターネットオークションといった、個別の取引のインターネットオークションを複数組み合わせ、情報処理装置とインターネット通信を用いて一つの取引にまとめることにより、公正な価格形成と安全な取引が実現する仕組みにする為のビジネスモデルである。
【０００２】
なお、情報処理装置とは、情報処理機能とインターネット通信処理機能の両方の機能を有するコンピューター、サーバー、タブレット端末、携帯電話、スマートホン等の装置の総称である。
【背景技術】
【０００３】
従来のインターネットオークションは、情報処理装置とインターネット通信を用いてインターネットオークションを運営するサービス提供者の提示する一方的な商品情報を参考にして、取引を希望する買い手が入札に参加して取引が行われていた。
【先行技術文献】
【特許文献】
【０００４】
【特許文献１】特開２０１３−１３４５１４号公報
【発明の開示】
【発明が解決しようとする課題】
【０００５】
インターネットオークションではさまざまな種類の商品が取引されており、価格も低額品から高額品まで幅広い取引が行われている。その中で特に高額品取引の場合は、公正な取引、安全な取引、商品の正確な評価、商品の保証が強く求められるはずである。
【０００６】
しかし、従来のインターネットオークションでは、売り手の出品者の提示する統一性のない商品情報と、インターネットオークションのサービス提供者の提示する機械的な評価や商品以外の評価などを参考にして取引が行われていた。商品に鑑定書が付いていても、その鑑定書そのものが信用できない可能性があり、高額品を取り扱うには弱い信用システムであった。
その結果、平然と偽物が流通して高額で落札されたり、価値のあるものが低額で落札されるなどの危険と問題があった。
【０００７】
売り手の出品者は、出品を計画している商品の正確な市場価格の知識不足と、売り手にとって正確な商品の情報が不足している状態のままで行われるインターネットオークションに不安があり、公正な価格形成に疑問を持ち、出品をあきらめる場合があった。
【０００８】
買い手の入札参加者は、出品された商品の信用性と、買い手にとって必要な商品の情報が不足している状態で行われるインターネットオークションに不安があり、保証のない取引に危険を感じ、入札の参加をあきらめる場合があった。
【０００９】
本発明は、売り手の出品者と買い手の入札参加者のどちら側にも属さない中立の第三者を、取引に参加させることにより、売り手の出品者と買い手の入札参加者の両者の立場に立ち、不適正な価格の成立を防ぎ、悪質な商品の排除を行い、公正な価格が形成される取引を実現することを課題とする。
【００１０】
従来の売り手の出品者と買い手の入札参加者が商品を売買する商品のインターネットオークションに、売り手と買い手のどちら側にも属さない複数の中立の第三者が、商品の鑑定作業と保証事業の分野でインターネットオークションの手法を用いて関与し、信用度の高い保証された鑑定書を商品に付属させることにより、価値のある高級品や本物を異常な安値で落札されたり、価値のない低級品や偽物を異常な高値で落札してしまう事態を回避する。
本発明は、売り手の出品者と買い手の入札参加者の両者にとって、安全で透明性の高い取引にする為のビジネスモデルを提供することを目的とする。
【課題を解決するための手段】
【００１１】
情報処理装置とインターネット通信を用いてインターネットオークションを運営する、インターネットオークションのサービス提供者（以下、サービス提供者という。）のウェブサイトで、売り手の出品者（以下、売り手という。）と、買い手の入札参加者（以下、買い手という。）が、商品を売買する商品のインターネットオークションと、情報処理装置とインターネット通信を用いてインターネットオークションを運営するサービス提供者のウェブサイトで、複数の鑑定士が作成した売り手の商品の複数の鑑定書を複数の保証人に公開して、各鑑定書を保証付のものにする際に必要になる保証人と保証料を確定させる為の、複数の保証人が参加する保証料インターネットオークションと、情報処理装置とインターネット通信を用いてインターネットオークションを運営するサービス提供者のウェブサイトで、複数の鑑定士と複数の保証人が作成に参加した複数の保証付鑑定書の中から商品の売り手が保証付鑑定書を特定する保証付鑑定書逆インターネットオークションといった、取引相手と取引対象品が異なれば、独立して個別に取引が行われる複数のインターネットオークションを、情報処理装置とインターネット通信を用いてインターネットオークションを運営するサービス提供者のウェブサイトで、一つの取引の中でまとめて行う。
【００１２】
なお、情報処理装置とは、情報処理機能とインターネット通信処理機能の両方の機能を有するコンピューター、サーバー、タブレット端末、携帯電話、スマートホン等の装置の総称である。
【００１３】
図１のように、一つの取引毎に、サービス提供者と、売り手と、複数の鑑定士が参加する鑑定団と、複数の保証人が参加する保険グループと、買い手がそれぞれの役割で、情報処理装置とインターネット通信を用いてインターネットオークションを運営するサービス提供者のウェブサイトで、インターネットオークションに参加する。
【００１４】
サービス提供者は、複数の鑑定士と、複数の保証人と契約をそれぞれ結び、情報処理装置とインターネット通信を用いてインターネットオークションをウェブサイトで運営し、商品の売り手を募集する。
【００１５】
サービス提供者は、情報処理装置とインターネット通信を用いてインターネットオークションを運営するウェブサイトに売り手から出品する商品の画像と商品情報を提出してもらう。画像では鑑定が難しい場合は、サービス提供者が指定する施設に現物を提出してもらう。
そして、売り手から手数料を受け取る。
【００１６】
サービス提供者は、情報処理装置とインターネット通信を用いてインターネットオークションを運営するウェブサイトで鑑定団に商品の画像と商品情報を公開する。画像では鑑定が困難な場合は、現物を鑑定可能な施設で公開する。
【００１７】
鑑定団の鑑定士達は、それぞれ独自に鑑定書を作成して、情報処理装置とインターネット通信を用いてインターネットオークションを運営するサービス提供者のウェブサイトに鑑定書情報を送信する。
【００１８】
図２のように、サービス提供者は、商品の鑑定書情報を情報処理装置とインターネット通信を用いてインターネットオークションを運営するサービス提供者のウェブサイトで保険グループに全て公開し、各鑑定書の保証人と保証料を決める保証料インターネットオークションを行う。
【００１９】
保険グループの保証人達は、それぞれの鑑定書の分析とチェックを行い、保証料という入札価格を情報処理装置とインターネット通信を用いてインターネットオークションを運営するサービス提供者のウェブサイトに送信する。
入札価格の中で最低額が落札されて、落札した保証人と、保証人の提示した保証料が確定してそれぞれの鑑定書に係属され、保証付鑑定書になる。
【００２０】
図３のように、サービス提供者は、情報処理装置とインターネット通信を用いてインターネットオークションを運営するウェブサイトで複数の鑑定士と複数の保証人が作成に参加した複数の保証付鑑定書を売り手に公開し、保証付鑑定書逆インターネットオークションを行う。
【００２１】
売り手は、公開された複数の保証付鑑定書の中から希望するものを選択し、情報処理装置とインターネット通信を用いてインターネットオークションを運営するサービス提供者のウェブサイトに選択情報を送信する。
【００２２】
サービス提供者は、商品のインターネットオークションを行う為に、出品された商品の画像と売り手の選んだ保証付鑑定書を、情報処理装置とインターネット通信を用いてインターネットオークションを運営するサービス提供者のウェブサイトに公開し、買い手を募集する。
【００２３】
買い手は、商品の画像と保証付鑑定書を参考にして、情報処理装置とインターネット通信を用いてインターネットオークションを運営するサービス提供者のウェブサイトに入札価格を送信する。
入札価格の中で最高額が落札されてインターネットオークションが完了する。
【発明の効果】
【００２４】
したがって本発明により、この取引に参加する者の中で特定の者が有利になる条件は無くなり、売り手と買い手は、どちらにも偏らない公正な状況下に置かれ、偽物や価値のないものが異常な高値で取引されたり、価値のあるものが異常な安値で取引されるようなことはなくなり、安心してインターネットオークションに参加できるようになる。
サービス提供者は、公正で安全なインターネットオークションの取引を運営することができるようになる。
本発明の上記および他の目的、特徴および利点は本発明の例として好ましい実施の形態を表す添付の図面と関連した以下の説明により明らかになるであろう。
【図面の簡単な説明】
【００２５】
【図１】本実施形態の、システム構成図である。
【図２】本実施形態の、保証料インターネットオークションの構成図である。
【図３】本実施形態の、保証付鑑定書逆インターネットオークションの構成図である。
【図４】本実施形態の、情報処理装置のハードウェア構成を示す図である。
【発明を実施するための形態】
【００２６】
以下、本実施形態の、インターネットオークション方法を、図面を参照して詳細に説明する。
図１は、本実施形態の、システム構成図である。
【００２７】
トリプルインターネットオークションは、従来の商品のインターネットオークションの信用度を更に高め、取引参加者が安心できる公正で安全な取引にする為のビジネスモデルである。
【００２８】
その為に、商品のインターネットオークションに、保証料インターネットオークションと、保証付鑑定書逆インターネットオークションといった、取引相手と取引対象品が異なっている複数のインターネットオークションを、情報処理装置とインターネット通信を用いてインターネットオークションを運営するサービス提供者のウェブサイトで一つの取引として行うことにより、取引の中で特定の者が有利になる状況を無くすようにする。
【００２９】
特定の鑑定士の鑑定書が売り手に押し付けられるのであれば、その鑑定士は有利な状況になり、特定の保証人が保証料を自由に決めてしまうのであれば、その保証人は有利な状況になり、制限なく評価の高い鑑定書の作成と採用が可能になれば、商品の売り手は有利な状況になり、商品情報に信用性が無く取引に保証が無ければ買い手は不利な状況になるが、情報処理装置とインターネット通信を用いてインターネットオークションを運営するサービス提供者がウェブサイトで三つのインターネットオークションを組み合わせて一つの取引として行うことにより、そのような状況を無くすことが可能になる。
【００３０】
なお、情報処理装置とは、情報処理機能とインターネット通信処理機能の両方の機能を有するコンピューター、サーバー、タブレット端末、携帯電話、スマートホン等の装置の総称である。
【００３１】
情報処理装置とインターネット通信を用いてインターネットオークションを運営するサービス提供者のウェブサイトで、商品の売り手と買い手が商品を売買する商品のインターネットオークションと、情報処理装置とインターネット通信を用いてインターネットオークションを運営するサービス提供者のウェブサイトで、複数の鑑定士が作成した売り手の商品の複数の鑑定書を複数の保証人に公開して、各鑑定書を保証付のものにする際に必要になる保証人と保証料を確定させる為の、複数の保証人が参加する保証料インターネットオークションと、情報処理装置とインターネット通信を用いてインターネットオークションを運営するサービス提供者のウェブサイトで、複数の鑑定士と複数の保証人が作成に参加した複数の保証付鑑定書の中から商品の売り手が保証付鑑定書を特定する保証付鑑定書逆インターネットオークションといった、取引相手と取引対象品が異なれば、独立して個別に取引が行われる複数のインターネットオークションを、情報処理装置とインターネット通信を用いてインターネットオークションを運営するサービス提供者のウェブサイトで、一つの取引の中でまとめて行う。
【００３２】
情報処理装置とインターネット通信を用いてインターネットオークションを運営するサービス提供者のウェブサイトで、複数の鑑定士が作成した売り手の商品の複数の鑑定書を複数の保証人に公開して、各鑑定書を保証付のものにする際に必要になる保証人と保証料を確定させる為の、複数の保証人が参加する保証料インターネットオークションと、情報処理装置とインターネット通信を用いてインターネットオークションを運営するサービス提供者のウェブサイトで、複数の鑑定士と複数の保証人が作成に参加した複数の保証付鑑定書の中から商品の売り手が保証付鑑定書を特定する保証付鑑定書逆インターネットオークションといった、取引相手と取引対象品が異なれば独立して個別に取引が行われる複数のインターネットオークションを、情報処理装置とインターネット通信を用いてインターネットオークションを運営するサービス提供者のウェブサイトで売り手と買い手が商品を売買するインターネットオークションに、売り手と買い手のどちら側にも属さない複数の中立の第三者が組み合わせて関与するものであり、売り手と買い手の取引に複数の中立の第三者が参加する取引になる。
そして、一つの取引毎に鑑定作業と保証事業を行う。
サービス提供者は、複数の鑑定士と契約を結び、鑑定作業に参加する権利を与える。複数の鑑定士は鑑定団という組織に所属する。
サービス提供者は、複数の保証人と契約を結び、保証事業に参加する権利を与える。複数の保証人は保険グループという組織に所属する。
【００３３】
サービス提供者は、情報処理装置とインターネット通信を用いてインターネットオークションを運営するサービス提供者のウェブサイトで取引を希望する商品の売り手を募集し、鑑定団と保険グループが参加するインターネットオークションを行う。
【００３４】
サービス提供者は、情報処理装置とインターネット通信を用いてインターネットオークションを運営するサービス提供者のウェブサイトに、取引を希望する売り手から商品の画像と商品情報を提出してもらう。画像だけでは鑑定が困難な場合は、サービス提供者の用意した鑑定が可能な施設に現物を提出してもらう。
売り手はサービス提供者に手数料を支払う。
【００３５】
サービス提供者は、情報処理装置とインターネット通信を用いてインターネットオークションを運営するサービス提供者のウェブサイトで、鑑定団に商品の画像と商品情報を公開する。
画像では鑑定が困難な場合は、鑑定が可能な施設で現物を公開する。
複数の鑑定士が参加して、売り手の商品の鑑定が行われる。
【００３６】
鑑定団の鑑定士達は、他の鑑定士のことも意識しながら、それぞれ独自に鑑定作業を行う。複数の鑑定士が参加する鑑定作業では、全ての鑑定士はライバルであり競合関係にある。鑑定士自身に都合のよい一方的な鑑定や、粗雑な鑑定はできなくなる。
【００３７】
鑑定作業は、商品にＡＢＣの３段階を更に上中下の３段階に分けたランクを付けて表示する作業と、商品の予想市場価格の上限額と下限額の表示を行う作業である。
【００３８】
それぞれの鑑定士達は鑑定書を作成し、情報処理装置とインターネット通信を用いてインターネットオークションを運営するサービス提供者のウェブサイトに鑑定書情報を送信する。
【００３９】
鑑定士は、鑑定書が売り手に選ばれないと手数料収入が得られない。その為に、売り手に有利になる誇張した鑑定や、意図的に真実と異なる鑑定を行うことが予想される。
サービス提供者は、鑑定士の中立性を維持する為の規定をつくる。
サービス提供者は、鑑定に疑いが発生した場合や、鑑定の不備が原因で返品や賠償責任が発生した場合は、鑑定士を鑑定団から除名する規定をつくる。
鑑定士は、サービス提供者と保証人達に配慮する必要に迫られ、売り手に選んでもらう為だけの売り手側に有利な鑑定書の作成はできなくなる。
このようにして、一つの取引毎に公正な鑑定作業が行われる。
図２は、本実施形態の、保証料インターネットオークションの構成図である。
【００４０】
図２のように、情報処理装置とインターネット通信を用いてインターネットオークションを運営するサービス提供者のウェブサイトに複数の鑑定士から送信されてきた複数の鑑定書情報を、情報処理装置とインターネット通信を用いてインターネットオークションを運営するサービス提供者のウェブサイトでサービス提供者は保険グループに全て公開し、保証料インターネットオークションを行う。
保証料インターネットオークションは、保証人が鑑定書を保証する権利を得る為のオークションである。
最低価格を入札した保証人の保証料が落札されて、保証人と保証料が鑑定書に係属する。
保証料とは、保証人が保証責任を引き受ける代わりに保証人が受け取る料金のことである。
保証内容は、記入漏れや事実誤認などの鑑定書の不備が原因で、返品や賠償責任が発生した場合に、保証人が損害額を負担するものである。
保険グループの保証人達は、賠償を避ける為にそれぞれの鑑定書の分析とチェックを正確に行うことが求められる。
サービス提供者は保証人達の協力を得て投票を行い、入札対象の一定割合を任意に選別して取引から除外する。
これは、鑑定士の中立性を維持する為に行う作業である。
【００４１】
情報処理装置とインターネット通信を用いてインターネットオークションを運営するサービス提供者が、保証料インターネットオークションの入札に参加する全ての入札参加者に入札対象品の中から評価が高いと思われるものを選び出して、情報処理装置とインターネット通信を用いてインターネットオークションを運営するサービス提供者のウェブサイトに投票してもらい、投票結果により入札対象品の中の一定割合を任意にサービス提供者が取引から除外するものであり、入札参加者の投票行為で入札対象品の中の一定割合が取引から除外される。
【００４２】
これは、保証人達のチェック機能を働かせるものであり、鑑定士が売り手に選んでもらう為に、安易に高い評価の鑑定書を作成することを防止し、鑑定士の中立性を維持する為に必要な処置である。
各鑑定士は、複数の鑑定書の中で、自分の作成した鑑定書が選別対象にならないように注意しなければならない。
【００４３】
選別後に残った鑑定書は入札対象になり、情報処理装置とインターネット通信を用いてインターネットオークションを運営するサービス提供者のウェブサイトで保証料インターネットオークションが行われる。
【００４４】
複数の鑑定士が作成したそれぞれの鑑定書には個人差があり、保証人はリスクを避けて保証料収入を得ようとするので、信頼性の低い鑑定書は保証料が高くなり、信頼性の高い鑑定書は保証料が低くなる。
ここにも保証人のチェック機能が働き、鑑定書の信頼性が保証料という形で現れる。
【００４５】
保証人達は、それぞれの鑑定書の分析とチェックを行い、情報処理装置とインターネット通信を用いてインターネットオークションを運営するサービス提供者のウェブサイトに保証料の入札価格を送信する。
【００４６】
サービス提供者のウエブサイトで、各鑑定書の保証料の入札が行われ、鑑定書毎に入札価格の中で最低額が落札されて保証人と保証料が確定し、確定した保証人と保証料は各鑑定書に係属され、全ての鑑定書にさまざまな金額の保証料が値付けされる。そして、鑑定書は保証付鑑定書になる。
このようにして、一つの取引毎に公正な保証事業が行われる。
図３は、本実施形態の、保証付鑑定書逆インターネットオークションの構成図である。
【００４７】
図３のように、サービス提供者は、情報処理装置とインターネット通信を用いてインターネットオークションを運営するサービス提供者のウェブサイトで、入札対象に残った保証付鑑定書を売り手に公開し、情報処理装置とインターネット通信を用いてインターネットオークションを運営するサービス提供者のウェブサイトで保証付鑑定書逆インターネットオークションを行う。
売り手は、公開された保証付鑑定書の中から希望する鑑定書を選ぶ権利が与えられる。
【００４８】
売り手は、保証付鑑定書を選び、情報処理装置とインターネット通信を用いてインターネットオークションを運営するサービス提供者のウェブサイトに選択情報を送信する。
選ばれた保証付鑑定書の鑑定士には手数料が、保証人には保証料がサービス提供者から支払われる。
公正な状況の中で作成された保証付鑑定書が売り手に選ばれ、選ばれた保証付鑑定書は売り手が出品した商品に付属される。
鑑定書の予想市場価格の下限額は、商品のインターネットオークションの入札開始価格に設定できる。
【００４９】
売り手の商品に付属された公正な保証付鑑定書が商品と共に、情報処理装置とインターネット通信を用いてインターネットオークションを運営するサービス提供者のウェブサイトに公開される。
【００５０】
公正な価格形成の為に、保証料インターネットオークションと、保証付鑑定書逆インターネットオークションを経て信用力が高められた保証付鑑定書の付属する商品が、情報処理装置とインターネット通信を用いてインターネットオークションを運営するサービス提供者のウェブサイトで行われる商品のインターネットオークションに公開される。
【００５１】
サービス提供者は、商品のインターネットオークションに出品された売り手の商品の画像と保証付鑑定書を、情報処理装置とインターネット通信を用いてインターネットオークションを運営するサービス提供者のウエブサイトに公開し、取引を希望する買い手を募集する。
保証付鑑定書は、商品の情報資料と保証の証明として買い手に利用される。
公正な保証付鑑定書の存在は買い手を保護することになる。
【００５２】
買い手は、保証付鑑定書を参考にして、情報処理装置とインターネット通信を用いてインターネットオークションを運営するサービス提供者のウェブサイトに入札価格を送信する。
サービス提供者のウエブサイトで、入札価格の中の最高額が落札されて商品のインターネットオークションが完了する。
図４は、本実施形態の、情報処理装置のハードウェア構成を示す図である。
【００５３】
情報処理装置（コンピュータ）１０は、ＣＰＵ１０１によって装置全体が制御されている。ＣＰＵ１０１には、バス１０８を介してＲＡＭ１０２と複数の周辺機器が接続されている。
【００５４】
ＲＡＭ１０２は、情報処理装置（コンピュータ）１０の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に使用する各種データが格納される。
【００５５】
バス１０８には、ハードディスクドライブ１０３、グラフィック処理装置１０４、入力インタフェース１０５、ドライブ装置１０６、および通信インタフェース１０７が接続されている。
【００５６】
ハードディスクドライブ１０３は、内蔵したディスクに対して、磁気的にデータの書き込みおよび読み出しを行う。ハードディスクドライブ１０３は、情報処理装置（コンピュータ）１０の二次記憶装置として使用される。ハードディスクドライブ１０３には、ＯＳのプログラム、アプリケーションプログラム、および各種データが格納される。なお、二次記憶装置としては、フラッシュメモリ等の半導体記憶装置を使用することもできる。
【００５７】
グラフィック処理装置１０４には、モニタ１０４ａが接続されている。グラフィック処理装置１０４は、ＣＰＵ１０１からの命令に従って、画像をモニタ１０４ａの画面に表示させる。モニタ１０４ａとしては、ＣＲＴ（Cathode Ray Tube）を用いた表示装置や、液晶表示装置等が挙げられる。
【００５８】
入力インタフェース１０５には、キーボード１０５ａとマウス１０５ｂとが接続されている。入力インタフェース１０５は、キーボード１０５ａやマウス１０５ｂから送られてくる信号をＣＰＵ１０１に送信する。なお、マウス１０５ｂは、ポインティングデバイスの一例であり、他のポインティングデバイスを使用することもできる。他のポインティングデバイスとしては、例えばタッチパネル、タブレット、タッチパッド、トラックボール等が挙げられる。
【００５９】
ドライブ装置１０６は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置１０６が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等が挙げられる。
【００６０】
通信インタフェース１０７は、インターネット通信（ネットワーク）５０に接続されている。通信インタフェース１０７は、インターネット通信（ネットワーク）５０を介して、他のコンピュータまたは通信機器との間でデータを送受信する。
【００６１】
以上のようなハードウェア構成によって、本実施形態の処理機能を実現することができる。なお、図４には情報処理装置（コンピュータ）１０のハードウェア構成を示したが、他のコンピュータも同様のハードウェア構成である。
【００６２】
上記については単に本発明の原理を示すものである。さらに、多数の変形、変更が当業者にとって可能であり、本発明は上記に示し、説明した正確なハードウェア構成および応用例に限定されるものではなく、対応するすべての類似のハードウェア構成および変形例は、本発明の範囲とみなされる。
【符号の説明】
【００６３】
１０  情報処理装置（コンピュータ）
５０  インターネット通信（ネットワーク）
１０１  ＣＰＵ
１０２  ＲＡＭ
１０３  ＨＤＤ
１０４  グラフィック処理装置
１０４a  モニタ
１０５  入力インタフェース
１０５a  キーボード
１０５ｂ  マウス
１０６  ドライブ装置
１０７  通信インタフェース
１０８  バス
２００  光ディスク
【要約】
【課題】取引相手と取引対象品の異なる複数のインターネットオークションを組み合わせて、取引の信用性、商品の正確な鑑定、商品の保証を充実させ、公正で安全なインターネットオークションを実現する方法を提供する。
【解決手段】商品のインターネットオークション、保証料インターネットオークション、保証付鑑定書逆インターネットオークションといった、本来は独立して個別に取引が行われる、取引相手と取引対象品の異なる複数のインターネットオークションを、商品の売り手と買い手の取引に複数の中立の第三者を参加させて組み合わせ、一つの取引にまとめて行うことにより、商品の売り手と買い手のインターネットオークションに公正で安全な取引が実現するシステムを提供する。
【選択図】図１【図１】
0005877489.tif 000002
【図２】
0005877489.tif 000003
【図３】
0005877489.tif 000004
【図４】
0005877489.tif 000005